(57)【要約】【課題】  操作が簡便で、構造が簡素なパネルの角度が調節可能な電子機器を提供する。【解決手段】  電話機の本体１に回転可能に取付けられるパネル２には、凸部２ｃ１，２ｃ２を有するリブ２ｃが設けられる。本体のパネル用受部１ａにスライド可能に保持されるスライド部材４には、リブ支え部４ａとパネル用受部に当接する板ばね４ｂが設けられる。パネルがパネル用受部から所望の角度位置まで回転するとき、リブの凸部がスライド部材のリブ支え部を押すことによって、スライド部材は板ばねを弾性変形しながらパネル用受部に対してスライドする。リブの凸部がリブ支え部を通過すると、スライド部材は板ばねによって復元し、リブ支え部はリブを支える。スライド部材をスライドすると、パネルが所望の角度位置からパネル用受部まで回転し、スライド部材は板ばねによって復元する。【選択図】  図７
2005176197.tif 000002
【特許請求の範囲】
【請求項１】
電子機器の本体と、前記本体に回転可能に取付けられるパネルと、前記本体に設けられる前記パネル用受部と、前記パネル用受部にスライド可能に保持されるスライド部材とから構成され、
前記パネルには、凸部を有するリブが設けられ、
前記スライド部材には、前記リブを支えることができるリブ支え部と前記パネル用受部に当接する板ばねが設けられ、
前記パネルが前記パネル用受部から所望の角度位置まで回転するとき、前記リブの凸部が前記スライド部材のリブ支え部を押すことによって、前記スライド部材は前記板ばねを弾性変形しながら前記パネル用受部に対してスライドし、前記凸部が前記リブ支え部を通過すると、前記スライド部材は前記板ばねによって復元し、前記リブ支え部は前記リブを支え、
前記スライド部材をスライドすると、前記パネルが前記所望の角度位置から前記パネル用受部まで回転し、前記スライド部材は前記板ばねによって復元することを特徴とするパネルの角度が調節可能な電子機器。
【請求項２】
前記リブは前記凸部を複数有し、前記パネルが前記所望の角度位置から更に他の所望の角度位置まで回転することができることを特徴とする請求項１記載のパネルの角度が調節可能な電子機器。
【請求項３】
前記パネルは前記リブを複数有し、前記スライド部材は前記リブ支え部を複数有することを特徴とする請求項１記載のパネルの角度が調節可能な電子機器。
【請求項４】
前記スライド部材は前記板ばねを複数有することを特徴とする請求項１記載のパネルの角度が調節可能な電子機器。
【請求項５】
前記板ばねの先端が前記パネル用受部の下端に当接することを特徴とする請求項１記載のパネルの角度が調節可能な電子機器。
【請求項６】
前記リブの両側に前記パネルと一体成形されるガイド兼保護部が配設されることを特徴とする請求項１記載のパネルの角度が調節可能な電子機器。
【発明の詳細な説明】
【技術分野】
【０００１】
本発明は、電話機及び端末装置等の電子機器におけるパネルの角度調節に関する。
【背景技術】
【０００２】
従来の技術として表示部の角度が調節可能な端末装置について説明する（例えば、特許文献１参照。）。
【０００３】
端末装置について図９〜図１１を参照して説明する。図９は端末装置の側面図、図１０は端末装置の分解斜視図、図１１（Ａ）〜（Ｄ）は端末装置の角度可変固定機構の諸状態の拡大側面図を、それぞれ示す。
【０００４】
端末装置の本体部３１には、液晶表示器（ＬＣＤ）等の表示部３２がヒンジ機構３３によって回転可能に取付けられている。表示部３２は、角度可変固定機構３４によって所定の角度で固定されている。
【０００５】
角度可変固定機構３４は、本体部３１の内部に設けられるロック固定部材４１と、表示部３２に設けられるロック可動部材４２とを有する。ロック固定部材４１は、その下部の貫通孔に固定ピン４３が挿通されることによって本体部３１に固定されている。また、ロック固定部材４１の右側の外周囲には、湾曲状の凹凸部４１ａが形成されている。ロック可動部材４２は、その下部に左側に突出し、かつ、ロック固定部材４１の凹凸部４１ａの凹部にはまり込む形状のフック部４２ａを有する。また、ロック可動部材４２は、その中央部に貫通孔４２ｂとその上部に突出するピン４２ｃを有する。
【０００６】
角度可変固定機構３４には、本体部３１の上部かつ内部から下方に延在する取付部材４３が設けられている。取付部材４３は、その中央に貫通孔４３ａを有し、貫通孔４３ａとロック可動部材４２の貫通孔４２ｂと表示部３２の端から本体部３１の方向に延在する三角部位３２ａにおける貫通孔３２ｂとに固定ピン４４が挿通される。ロック可動部材４２は、固定ピン４４を軸として回転する。固定ピン４４には、捩りコイルスプリング４５が取付けられている。捩りコイルスプリング４５のコイル部分は固定ピン４４にはめられ、コイル部分から両方に延在する弾性部材の端部に、コ字状部位４５ａ，４５ｂが設けられる。コ字状部位４５ａは、取付部材４３の端部に係止する。コ字状部位４５ｂはロック可動部材４２の下部に係止し、ロック可動部材４２のフック部４２ａは捩りコイルスプリング４５によってロック固定部材４１の方向に常時押圧されている。すなわち、ロック可動部材４２のフック部４２ａは、ロック固定部材４１の凹凸部４１ａの凹部にかみ合うように付勢されている。また、表示部３２の三角部位３２ａの上部にトラック状の貫通孔３２ｃが設けられ、貫通孔３２ｃにロック可動部材４２のピン４２ｃが移動可能に挿入されている。ピン４２ｃは、表示部３２の側面から突出し、操作者の手指によってピン４２ｃを貫通孔３２ｃ内で図９の矢印ｎ方向に移動させることができる。
【０００７】
図１１（Ａ）は、角度可変固定機構３４におけるロック可動部材４２がロック固定部材４１に固定された状態を示す。図１１（Ｂ）は、ロック固定部材４１とロック可動部材４２の固定が解除された状態を示す。図１１（Ｃ）は、固定が解除されて、表示部３２を引き上げる状態を示す。図１１（Ｄ）は、表示部３２を引き上げた状態で、ロック可動部材４２がロック固定部材４１に固定された状態を示す。
【０００８】
図１１（Ａ）の状態では、ロック可動部材４２のフック部４２ａは、捩りコイルスプリング４５によって矢印ｒ方向に付勢されてロック固定部材４１の凹凸部４１ａの凹部にかみ合っている。したがって、表示部３２の表面のタッチパネルから入力操作を行った場合、表示部３２は変動し難い。
【０００９】
次に、表示部３２を所望の角度に調節する方法について説明する。ピン４２ｃに手指をかけて、ピン４２ｃを貫通孔３２ｃ内で図１１（Ａ）の矢印ｎ方向に移動させる。すると、フック部４２ａは、捩りコイルスプリング４５に抵抗して矢印ｍ方向に移動する。したがって、フック部４２ａが凹凸部４１ａの凹部とのかみ合いから図１１（Ｂ）に示されるように解除される。この解除された状態で、図１１（Ｃ）に示されるように、操作者は、表示部３２を引き起こす。
【００１０】
そして、表示部３２を図１１（Ｄ）に示される所望の角度に引き起こした位置で、ピン４２ｃから手指を離す。すると、フック部４２ａが捩りコイルスプリング４５によって矢印ｒ方向に押圧されるので、フック部４２ａは凹凸部４１ａの凹部にかみ合って停止する。したがって、ロック可動部材４２とロック固定部材４１は、表示部３２を所望の角度に引き起こした位置で固定される。
【特許文献１】特開平７−１０４８８６号公報（第３頁第３欄第１９行−第４頁第５欄第２６行）
【発明の開示】
【発明が解決しようとする課題】
【００１１】
前記従来の表示部の角度が調節可能な端末装置においては、表示部の角度を調節するとき、操作者の手指によるピン４２ｃの移動と表示部３２の回転の２つの操作が必要であるため、操作が煩雑であり、また、構造が複雑である。
【００１２】
そこで、本発明は、前記従来の端末装置の欠点を改良し、操作が簡便で、構造が簡素なパネルの角度が調節可能な電子機器を提供しようとするものである。
【課題を解決するための手段】
【００１３】
１．電子機器の本体と、前記本体に回転可能に取付けられるパネルと、前記本体に設けられる前記パネル用受部と、前記パネル用受部にスライド可能に保持されるスライド部材とから構成され、前記パネルには、凸部を有するリブが設けられ、前記スライド部材には、前記リブを支えることができるリブ支え部と前記パネル用受部に当接する板ばねが設けられ、前記パネルが前記パネル用受部から所望の角度位置まで回転するとき、前記リブの凸部が前記スライド部材のリブ支え部を押すことによって、前記スライド部材は前記板ばねを弾性変形しながら前記パネル用受部に対してスライドし、前記凸部が前記リブ支え部を通過すると、前記スライド部材は前記板ばねによって復元し、前記リブ支え部は前記リブを支え、前記スライド部材をスライドすると、前記パネルが前記所望の角度位置から前記パネル用受部まで回転し、前記スライド部材は前記板ばねによって復元するパネルの角度が調節可能な電子機器。
【００１４】
２．前記リブは前記凸部を複数有し、前記パネルが前記所望の角度位置から更に他の所望の角度位置まで回転することができる前記１記載のパネルの角度が調節可能な電子機器。
【００１５】
３．前記パネルは前記リブを複数有し、前記スライド部材は前記リブ支え部を複数有する前記１記載のパネルの角度が調節可能な電子機器。
【００１６】
４．前記スライド部材は前記板ばねを複数有する前記１記載のパネルの角度が調節可能な電子機器。
【００１７】
５．前記板ばねの先端が前記パネル用受部の下端に当接する前記１記載のパネルの角度が調節可能な電子機器。
【００１８】
６．前記リブの両側に前記パネルと一体成形されるガイド兼保護部が配設される前記１記載のパネルの角度が調節可能な電子機器。
【発明の効果】
【００１９】
明細書の説明から明らかなように、本発明は、次の効果を奏する。
【００２０】
１．パネルの傾斜角度を増大するときには、パネルを引き上げる１回の操作のみで済むので、操作が簡便である。
【００２１】
２．電子機器は、本体と、パネルと、パネル用受部と、スライド部材とから構成されるので、構造が簡素、堅牢、コンパクトで、部品点数が少なく、組立分解が簡易で、また、コストが安価である。
【発明を実施するための最良の形態】
【００２２】
本発明の一実施例のパネルの角度が調節可能な電話機について説明する。
【実施例１】
【００２３】
本発明の実施例１の説明に先立って本発明の理解を促進するための電話機のパネルの角度調節方法について説明する。
【００２４】
まず、第１の角度調節方法について図１（Ａ）を参照して説明する。電話機の合成樹脂製の本体１には、合成樹脂製のパネル２が回転軸３によって回転可能に取付けられている。パネル２の表面の操作部には、多数の操作キー２ａが設置されている。
【００２５】
操作者が電話機を便利に使用できるようにパネル２を本体１に対して傾斜させる。そして、回転軸３の下方の本体１のパネル用受部１ａとパネル２の間にシリコンゴム等製のスペーサ２１を挿入することによって、パネル２を本体１に対して所望の角度傾斜させた状態に維持する。
【００２６】
しかし、電話機が振動や衝撃を受けたとき、スペーサ２１が回転軸３の下方のパネル用受部１ａとパネル２の間から離脱すると、パネル２は回転軸３を中心として矢印Ａ方向に倒れる。また、操作者が手指によって各操作キー２ａを矢印Ｂ方向に押したときにパネル２にかかる押圧力によって、パネル２は同様に倒れる。
【００２７】
次に、第２の角度調節方法について図１（Ｂ）を参照して説明する。操作者は、第１の動作としてパネル２の先端に手指をかけてパネル２を矢印Ｃ方向に引き上げる。第２の動作として、本体１のパネル用受部１ａに回転可能に取付けられた支え棒２２を回転軸２３を中心として垂直に起こす。そして、支え棒２２の先端２２ａでパネル２の底面２ｂを支える。この角度調節方法は、２つの動作を必要とするため、操作が煩雑である。
【００２８】
そこで、更に前記第１及び第２の各角度調節方法を改良した本発明の実施例１を図２〜図８を参照して説明する。
【００２９】
図２は、電話機の側面図（ただし、要部は断面図）である。パネル２の底部には、４個のパネル支え用のリブ２ｃとそれらの両側に２個のガイド兼保護部２ｄ（図３参照）が一体に成形され、また、本体１のパネル用受部１ａには、各リブ２ｃを支えるスライド部材４が装着されている。各リブ２ｃとスライド部材４については、以下に詳述する。
【００３０】
図３（Ａ）〜（Ｆ）は、パネル２の諸図を示す。パネル２の底部には、図３（Ｅ）に示されるように、２個ずつ２組（合計４個）のパネル支え用のリブ２ｃと４個のリブ２ｃの両側にガイド兼保護部２ｄが一体に成形されている。
【００３１】
図４（Ａ）〜（Ｅ）（ただし、倍率は図３の３倍）は、各リブ２ｃ支え用のスライド部材４の諸図である。スライド部材４は、金属から製作され、スライド部材４の上面の２箇所には、各リブ２ｃを支えるリブ支え部４ａが設けられ、各リブ支え部４ａの下方に板ばね４ｂが突出するように設けられている。
【００３２】
図５は、電話機の後面側から見た斜視図である。パネル２は、二段階引き上げられた角度に調節されている。スライド部材４は、本体１のパネル用受部１ａに対して矢印方向にスライド可能に取付けられている（詳細は図７と図８参照）。
【００３３】
図６は、電話機におけるパネル２の上昇（ＵＰ）と下降（Ｄｏｗｎ）の概略を示す諸図である。（Ａ）に示されるパネル２が本体１のパネル用受部１ａに載置されている状態（略水平状態）において、（Ｂ）に示されるように操作者がパネル２の先端に手指をかけてパネル２を矢印方向に二段階回転させる。すると、パネル２は（Ｃ）に示される状態に至り、このとき、スライド部材４は、パネル用受部１ａから押し出され、また、復元する。この点のパネル２の回転とスライド部材４のスライドについては、後述する。（Ｃ）と（Ｄ）に示される状態において、スライド部材４を手指によってパネル用受部１ａから矢印方向に引き出す（Ｐｕｌｌ）と、パネル２は矢印方向に回転して（Ａ）と（Ｂ）に示される状態に至る。スライド部材４から手指を離すと、スライド部材４は復元する。
【００３４】
パネル２の回転とスライド部材４のスライドについて図７と図８を参照して詳細に説明する。
【００３５】
図７（Ａ）（図８（Ａ）参照）に示されるパネル２が本体１のパネル用受部１ａに載置されている状態（略水平状態）において、操作者が手指をパネル２の先端にかけてパネル２を矢印方向に一段階（小さい角度）引き上げると、パネル２は図７（Ｂ）（図８（Ｂ）参照）に示される状態に至る。このとき、各リブ２ｃの第１凸部２ｃ１がスライド部材４の各リブ支え部４ａの先端４ａ１を押すので、スライド部材４は図７（Ａ）（図８（Ａ）参照）の矢印方向にスライドし、スライド部材４の各板ばね４ｂは図７（Ｂ）（図８（Ｂ）参照）に示されるようにパネル用受部１ａの下端１ａ１に当接して弾性変形する。その後、各リブ２ｃの第１凸部２ｃ１が上昇してスライド部材４の各先端４ａ１から離れると、スライド部材４は各板ばね４ｂの復元力によって最初の位置に復帰する（図８（Ｃ）参照）。ただし、パネル２の各リブ２ｃの第１凸部２ｃ１がスライド部材４の各リブ支え部４ａ上に乗ることによって、スライド部材４はパネル用受部１ａに対して若干下方に変位する。このようにして、スライド部材４の各リブ支え部４ａは、パネル２の各リブ２ｃを支える。
【００３６】
図７（Ｂ）に示される状態において、操作者が手指をパネル２の先端にかけてパネル２を更に一段階（大きい角度）引き上げると、パネル２は図７（Ｃ）（図８（Ｃ）参照）に示される状態に至る。このとき、各リブ２ｃの第２凸部２ｃ２がスライド部材４の各リブ支え部４ａの先端４ａ１を押すので、スライド部材４は図７（Ｂ）の矢印方向と反対方向（図８（Ａ）参照）にスライドし、スライド部材４の各板ばね４ｂは図７（Ｂ）（図８（Ｂ）参照）に示されるようにパネル用受部１ａの下端１ａ１に当接して弾性変形する。その後、各リブ２ｃの第２凸部２ｃ２が上昇してスライド部材４の各先端４ａ１から離れると、スライド部材４は各板ばね４ｂの復元力によって最初の位置に復帰する（図８（Ｃ）参照）。ただし、パネル２の各リブ２ｃの第２凸部２ｃ２がスライド部材４の各リブ支え部４ａ上に乗ることによって、スライド部材４はパネル用受部１ａに対して若干下方に変位する。このようにして、スライド部材４の各リブ支え部４ａは、パネル２の各リブ２ｃを支える。
【００３７】
図７（Ｃ）に示される状態において、パネル２が本体１のパネル用受部１ａに載置される状態（略水平状態）に変更するときは、操作者は手指によってスライド部材４を矢印方向に引く。すると、パネル２は、回転軸３を支点としてパネル用受部１ａに当接して停止するまで右回転する。その後、スライド部材４から手指を離すと、スライド部材４は各板ばね４ｂの復元力によって最初の位置に復帰する。
【００３８】
実施例１においては、各リブ２ｃに第１凸部２ｃ１と第２凸部２ｃ２を形成することによって電話機を三段階の角度に調節するが、更に、第３凸部等を形成することによって電話機を四以上の段階の角度に調節することができる。
【００３９】
リブ２ｃの個数は、図３（Ｅ）において、左側２個と右側２個の合計４個であるが、左側１個と右側１個の合計２個に改造することができる。また、リブ２ｃの個数を全体として１個に改造することもできる。この場合、２箇所のリブ支え部４ａを１箇所に改造する。
【００４０】
スライド部材４には、２箇所に板ばね４ｂが設けられているが、１箇所に設けるように改造することができる。
【図面の簡単な説明】
【００４１】
【図１】本発明の理解を促進するために電話機のパネルの角度調節方法の説明用図であり、（Ａ）は第１の方法に係る電話機の側面図、（Ｂ）は第２の方法に係る電話機の側面図を、それぞれ示す。
【図２】本発明の実施例１のパネルの角度が調節可能な電話機の側面図である。
【図３】同電話機の諸図であり、（Ａ）は正面図、（Ｂ）は側面図、（Ｃ）は後面図、（Ｄ）は（Ａ）における線ａ−ａによる断面図、（Ｅ）は下面前側から見た斜視図、（Ｆ）は下面後側から見た斜視図を、それぞれ示す。
【図４】同電話機のスライド部材の諸図であり、（Ａ）は正面図、（Ｂ）は正面前側から見た斜視図、（Ｃ）は前面図、（Ｄ）は側面図（ただし、一部は断面図）、（Ｅ）は下面前側から見た斜視図を、それぞれ示す。
【図５】同電話機の後面側から見た斜視図である。
【図６】同電話機の諸図であり、（Ａ）はパネルが略水平状態に位置するときの後面側から見た斜視図、（Ｂ）は同パネルが水平状態に位置するときの側面図（ただし、一部は断面図）、（Ｃ）は同パネルが二段階状態に角度調節されて位置するときの後面側から見た斜視図、（Ｄ）は同パネルが二段階状態に角度調節されて位置するときの側面図（ただし、一部は断面図）を、それぞれ示す。
【図７】同電話機における同パネルのリブと同スライド部材の関係の諸側面図（ただし、一部は断面図）であり、（Ａ）は同パネルが略水平状態に位置するとき、（Ｂ）は同パネルが一段階状態に角度調節されて位置するとき、（Ｃ）は同パネルが二段階状態に角度調節されて位置するときを、それぞれ示す。
【図８】同電話機における同スライド部材と本体のパネル用受部の関係の諸側面図（ただし、一部は断面図）であり、（Ａ）は同スライド部材が同パネルによって押されていない状態、（Ｂ）は同スライド部材が同パネルの同リブによって矢印方向と反対方向に押されている状態、（Ｃ）は同スライド部材が同パネルの同リブを支えている状態を、それぞれ示す。
【図９】従来の表示部の角度が調節可能な端末装置の側面側から見た断面図である。
【図１０】同端末装置の分解斜視図である。
【図１１】同端末装置における角度可変固定機構の諸状態の拡大側面図であり、角度調節の過程を順次（Ａ）〜（Ｄ）にそれぞれ示す。
【符号の説明】
【００４２】
１  本体
１ａ  パネル用受部
１ａ１  下端
２  パネル
２ａ  操作キー
２ｂ  底面
２ｃ  リブ
２ｃ１  第１凸部
２ｃ２  第２凸部
２ｄ  ガイド兼保護部
３  回転軸
４  スライド部材
４ａ  リブ支え部
４ａ１  先端
４ｂ  板ばね
【図１】
2005176197.tif 000003
【図２】
2005176197.tif 000004
【図３】
2005176197.tif 000005
【図４】
2005176197.tif 000006
【図５】
2005176197.tif 000007
【図６】
2005176197.tif 000008
【図７】
2005176197.tif 000009
【図８】
2005176197.tif 000010
【図９】
2005176197.tif 000011
【図１０】
2005176197.tif 000012
【図１１】
2005176197.tif 000013